(57)【要約】  電力変換システム（１）は、互いに同じグループに属し、かつ、互いに通信可能に接続された複数の電力変換装置（１０）を含む。また、電力変換システム（１）のリスト生成部（１０２）は、複数の電力変換装置（１０）の各々のＩＰアドレスを取得し、ＩＰアドレスリストを生成する。リスト記憶部（１００）は、ＩＰアドレスリストを記憶する。リスト送信部（１０５）は、複数の電力変換装置（１０）と連携する上位装置（３０）に、ＩＰアドレスリストを送信する。
2020059037.tif 000002
【特許請求の範囲】
【請求項１】
互いに同じグループに属し、かつ、互いに通信可能に接続された複数の電力変換装置と、
前記複数の電力変換装置の各々のＩＰアドレスを取得し、ＩＰアドレスリストを生成するリスト生成部と、
前記ＩＰアドレスリストを記憶するリスト記憶部と、
前記複数の電力変換装置と連携する上位装置に、前記ＩＰアドレスリストを送信するリスト送信部と、
を有する電力変換システム。
【請求項２】
前記複数の電力変換装置の何れかは、前記上位装置と直接的に接続され、
少なくとも前記上位装置と直接的に接続された電力変換装置は、前記リスト送信部を有し、前記上位装置に前記ＩＰアドレスリストを送信する、
請求項１に記載の電力変換システム。
【請求項３】
前記上位装置は、所定の操作が行われた場合に前記ＩＰアドレスリストの取得要求を送信し、
前記電力変換システムは、前記上位装置から前記取得要求を受信する受信部を更に有し、
前記リスト送信部は、前記上位装置から前記取得要求が受信された場合に、前記上位装置に前記ＩＰアドレスリストを送信する、
請求項１又は２に記載の電力変換システム。
【請求項４】
前記上位装置は、初回の通信が行われる場合に前記ＩＰアドレスリストの取得要求を送信し、
前記電力変換システムは、前記上位装置から前記取得要求を受信する受信部を更に有し、
前記リスト送信部は、前記上位装置から前記取得要求が受信された場合に、前記上位装置に前記ＩＰアドレスリストを送信する、
請求項１〜３の何れかに記載の電力変換システム。
【請求項５】
前記上位装置は、定期的に前記ＩＰアドレスリストの取得要求を送信し、
前記電力変換システムは、前記上位装置から前記取得要求を受信する受信部を更に有し、
前記リスト送信部は、前記上位装置から前記取得要求が受信された場合に、前記上位装置に前記ＩＰアドレスリストを送信する、
請求項１〜４の何れかに記載の電力変換システム。
【請求項６】
前記ＩＰアドレスリストは、予め定められたレジスタに格納され、
前記電力変換システムは、前記上位装置から前記レジスタの参照要求を受信する受信部を更に有し、
前記リスト送信部は、前記上位装置から前記参照要求が受信された場合に、前記上位装置に、前記ＩＰアドレスリストを送信する、
請求項１〜５の何れかに記載の電力変換システム。
【請求項７】
前記レジスタは、前記リスト記憶部とは異なる記憶領域に確保され、
前記電力変換システムは、前記リスト記憶部の前記ＩＰアドレスリストを、前記レジスタにコピーするコピー部を更に有する、
請求項６に記載の電力変換システム。
【請求項８】
前記コピー部は、前記上位装置から前記参照要求が受信された場合に、前記リスト送信部の前記上位装置への前記ＩＰアドレスリストの送信に先立って、前記ＩＰアドレスリストを前記予め定められたレジスタにコピーする、
請求項７に記載の電力変換システム。
【請求項９】
前記複数の電力変換装置の各々は、前記ＩＰアドレスリストが送信された後に、前記上位装置に、自身の識別情報を送信する識別情報送信部を有する、
請求項１〜８の何れかに記載の電力変換システム。
【請求項１０】
前記複数の電力変換装置の各々に対し、識別番号を付与する付与部と、
前記複数の電力変換装置の各々に付与された前記識別番号を昇順又は降順にソートして、前記複数の電力変換装置の各々の動作状況を表示させる表示制御部と、
を更に有する請求項１〜８の何れかに記載の電力変換システム。
【請求項１１】
前記上位装置にＩＰアドレスを動的に割り当てる割当部を更に有し、
前記複数の電力変換装置の各々は、前記割当部により割り当てられた前記上位装置のＩＰアドレスに基づいて、前記上位装置と通信する、
請求項１〜１０の何れかに記載の電力変換システム。
【請求項１２】
互いに同じグループに属し、かつ、互いに通信可能に接続された複数の電力変換装置各々のＩＰアドレスを取得し、ＩＰアドレスリストを生成し、
前記ＩＰアドレスリストを記憶部に記録し、
前記複数の電力変換装置と連携する上位装置に、前記ＩＰアドレスリストを送信する、
電力変換装置のＩＰアドレス送信方法。
【請求項１３】
互いに同じグループに属し、かつ、互いに通信可能に接続された複数の電力変換装置の各々のＩＰアドレスを取得し、ＩＰアドレスリストを生成するリスト生成部、
前記複数の電力変換装置と連携する上位装置に、前記ＩＰアドレスリストを送信するリスト送信部、
としてコンピュータを機能させるためのプログラム。
【発明の詳細な説明】
【技術分野】
【０００１】
本発明は、電力変換システム、電力変換装置のＩＰアドレス送信方法、及びプログラムに関する。
【背景技術】
【０００２】
特許文献１には、互いに同じグループに属し、かつ、互いに通信可能に接続された複数の電力変換装置の各々を、マスタとスレーブに役割分担するシステムが記載されている。このシステムでは、ＩＰアドレスの取得等の初期処理が実行された後に、マスタの役割を果たす電力変換装置と、スレーブの役割を果たす電力変換装置と、が通信する。
【先行技術文献】
【特許文献】
【０００３】
【特許文献１】特開第２０１７−１２７１９０号公報
【発明の概要】
【発明が解決しようとする課題】
【０００４】
本発明が解決しようとする課題は、例えば、互いに同じグループに属し、かつ、互いに通信可能に接続された複数の電力変換装置と、複数の電力変換装置と連携する上位装置と、を通信可能にすることである。
【課題を解決するための手段】
【０００５】
本発明の一側面に係る電力変換システムは、互いに同じグループに属し、かつ、互いに通信可能に接続された複数の電力変換装置と、前記複数の電力変換装置の各々のＩＰアドレスを取得し、ＩＰアドレスリストを生成するリスト生成部と、前記ＩＰアドレスリストを記憶するリスト記憶部と、前記複数の電力変換装置と連携する上位装置に、前記ＩＰアドレスリストを送信するリスト送信部と、を有する。【０００６】
また、本発明の一側面に係る電力変換装置のＩＰアドレス送信方法は、互いに同じグループに属し、かつ、互いに通信可能に接続された複数の電力変換装置各々のＩＰアドレスを取得し、ＩＰアドレスリストを生成し、前記ＩＰアドレスリストを記憶部に記録し、前記複数の電力変換装置と連携する上位装置に、前記ＩＰアドレスリストを送信する。【０００７】
また、本発明の一側面に係るプログラムは、互いに同じグループに属し、かつ、互いに通信可能に接続された複数の電力変換装置の各々のＩＰアドレスを取得し、ＩＰアドレスリストを生成するリスト生成部、前記複数の電力変換装置と連携する上位装置に、前記ＩＰアドレスリストを送信するリスト送信部、としてコンピュータを機能させる。【０００８】
また、本発明の一側面に係る電力変換システムは、前記複数の電力変換装置の何れかは、前記上位装置と直接的に接続され、少なくとも前記上位装置と直接的に接続された電力変換装置は、前記リスト送信部を有し、前記上位装置に前記ＩＰアドレスリストを送信する。【０００９】
また、本発明の一側面に係る電力変換システムは、前記上位装置は、所定の操作が行われた場合に前記ＩＰアドレスリストの取得要求を送信し、前記電力変換システムは、前記上位装置から前記取得要求を受信する受信部を更に有し、前記リスト送信部は、前記上位装置から前記取得要求が受信された場合に、前記上位装置に前記ＩＰアドレスリストを送信する。【００１０】
また、本発明の一側面に係る電力変換システムは、前記上位装置は、初回の通信が行われる場合に前記ＩＰアドレスリストの取得要求を送信し、前記電力変換システムは、前記上位装置から前記取得要求を受信する受信部を更に有し、前記リスト送信部は、前記上位装置から前記取得要求が受信された場合に、前記上位装置に前記ＩＰアドレスリストを送信する。【００１１】
また、本発明の一側面に係る電力変換システムは、前記上位装置は、定期的に前記ＩＰアドレスリストの取得要求を送信し、前記電力変換システムは、前記上位装置から前記取得要求を受信する受信部を更に有し、前記リスト送信部は、前記上位装置から前記取得要求が受信された場合に、前記上位装置に前記ＩＰアドレスリストを送信する。【００１２】
また、本発明の一側面に係る電力変換システムは、前記ＩＰアドレスリストは、予め定められたレジスタに格納され、前記電力変換システムは、前記上位装置から前記レジスタの参照要求を受信する受信部を更に有し、前記リスト送信部は、前記上位装置から前記参照要求が受信された場合に、前記上位装置に、前記ＩＰアドレスリストを送信する。【００１３】
また、本発明の一側面に係る電力変換システムは、前記レジスタは、前記リスト記憶部とは異なる記憶領域に確保され、前記電力変換システムは、前記リスト記憶部の前記ＩＰアドレスリストを、前記レジスタにコピーするコピー部を更に有する。【００１４】
また、本発明の一側面に係る電力変換システムは、前記コピー部は、前記上位装置から前記参照要求が受信された場合に、前記リスト送信部の前記上位装置への前記ＩＰアドレスリストの送信に先立って、前記ＩＰアドレスリストを前記予め定められたレジスタにコピーする。【００１５】
また、本発明の一側面に係る電力変換システムは、前記複数の電力変換装置の各々は、前記ＩＰアドレスリストが送信された後に、前記上位装置に、自身の識別情報を送信する識別情報送信部を有する。【００１６】
また、本発明の一側面に係る電力変換システムは、前記複数の電力変換装置の各々に対し、識別番号を付与する付与部と、前記複数の電力変換装置の各々に付与された前記識別番号を昇順又は降順にソートして、前記複数の電力変換装置の各々の動作状況を表示させる表示制御部と、を更に有する。【００１７】
また、本発明の一側面に係る電力変換システムは、前記上位装置にＩＰアドレスを動的に割り当てる割当部を更に有し、前記複数の電力変換装置の各々は、前記割当部により割り当てられた前記上位装置のＩＰアドレスに基づいて、前記上位装置と通信する。
【発明の効果】
【００１８】
本発明によれば、例えば、互いに同じグループに属し、かつ、互いに通信可能に接続された複数の電力変換装置と、複数の電力変換装置と連携する上位装置と、が通信可能になる。
【図面の簡単な説明】
【００１９】
【図１】実施形態に係る電力変換システムの全体構成を示す図である。
【図２】電力変換システムで実現される機能を示す機能ブロック図である。
【図３】リファレンスリストのデータ格納例を示す図である。
【図４】グループ設定画面の一例を示す図である。
【図５】識別番号付与画面の一例を示す図である。
【図６】電力変換システムで実行される処理を示すフロー図である。
【図７】電力変換システムで実行される処理を示すフロー図である。
【図８】電力変換装置の接続形態の一例を示す図である。
【発明を実施するための形態】
【００２０】
［１．電力変換システムの全体構成］
本発明の発明者の見地によれば、複数の電力変換装置の各々の動作状況を上位装置で監視させる場合に、各電力変換装置のＩＰアドレスを上位装置に通知する仕組みがなく、上位装置と各電力変換装置とを通信させることができなかった。そこで本発明の発明者は、これら複数の電力変換装置と上位装置とを通信可能にするために鋭意研究開発を行った結果、新規かつ独創的な電力変換システム等に想到した。以降、本実施形態に係る電力変換システム等を詳細に説明する。
【００２１】
図１は、実施形態に係る電力変換システムの全体構成を示す図である。図１に示すように、電力変換システム１は、電力変換装置１０−１〜１０−Ｎと、ユーザ端末２０と、を含み、上位装置３０に接続される。なお、本実施形態では、電力変換装置１０−１〜１０−Ｎを特に区別する必要のないときは、単に電力変換装置１０と記載する。また、Ｎは、電力変換装置１０の接続台数を示し、２以上の任意の整数である。
【００２２】
電力変換装置１０は、電力を変換する装置であり、例えば、インバータ、コンバータ、又はパワーコンディショナーである。例えば、電力変換装置１０は、制御部１１、記憶部１２、通信部１３、及び電力変換部１４を含む。
【００２３】
制御部１１は、少なくとも１つのプロセッサを含む。記憶部１２は、ＲＡＭ等の揮発性メモリと、ＲＯＭ、ＥＥＰＲＯＭ、フラッシュメモリ、又はハードディスク等の不揮発性メモリと、を含み、各種プログラムやデータを記憶する。制御部１１は、これらプログラムやデータに基づいて各種処理を実行する。通信部１３は、有線通信又は無線通信用の通信インタフェースである。通信インタフェースは、任意の規格を適用可能であり、例えば、イーサネット（登録商標）又はＷｉＦｉ（登録商標）を適用可能である。電力変換部１４は、周波数や電圧を調整する電気回路であり、変調方式としては、ＰＷＭ方式、ＰＦＭ方式、又はＰＡＭ形式といった種々の方式を適用可能である。
【００２４】
ユーザ端末２０は、電力変換システム１のユーザが操作するコンピュータである。例えば、ユーザ端末２０は、パーソナルコンピュータ、携帯電話（スマートフォンを含む）、又は携帯端末（タブレット型端末を含む）である。ユーザ端末２０は、制御部２１、記憶部２２、通信部２３、操作部２４、及び表示部２５を含む。制御部２１、記憶部２２、及び通信部２３の各々のハードウェア構成は、制御部１１、記憶部１２、及び通信部１３と同様であってよい。操作部２４は、マウスやキーボード等の入力デバイスである。表示部２５は、液晶ディスプレイ又は有機ＥＬディスプレイ等であり、制御部１１の指示により各種画面を表示する。
【００２５】
なお、記憶部１２，２２に記憶されるものとして説明するプログラム及びデータは、ネットワークを介して電力変換装置１０又はユーザ端末２０に供給されるようにしてもよい。また、電力変換装置１０及びユーザ端末２０の各々のハードウェア構成は、上記の例に限らず、種々のハードウェアを適用可能である。例えば、コンピュータ読み取り可能な情報記憶媒体を読み取る読取部（例えば、光ディスクドライブやメモリカードスロット）や外部機器と直接的に接続するための入出力部（例えば、ＵＳＢ端子）が含まれていてもよい。この場合、情報記憶媒体に記憶されたプログラムやデータが読取部又は入出力部を介して供給されるようにしてもよい。
【００２６】
上位装置３０は、各電力変換装置１０の動作状況を監視するコンピュータであり、例えば、サーバコンピュータ又はパーソナルコンピュータ等である。電力変換システム１のユーザが上位装置３０を利用して監視をしてもよいが、本実施形態では、電力変換システム１のユーザとは異なる管理者が上位装置３０を利用して監視をする場合を説明する。上位装置３０のハードウェア構成は、ユーザ端末２０と同様であってよく、例えば、制御部、記憶部、通信部、操作部、及び表示部を含んでもよい。
【００２７】
［２．電力変換システムの概要］
電力変換システム１では、複数の電力変換装置１０が、互いに同じグループに属し、かつ、互いに通信可能に接続される。
【００２８】
グループとは、同一ネットワークに接続された電力変換装置１０の集団であり、クラスタとも呼ばれる。別の言い方をすれば、グループは、互いに情報を共有する電力変換装置１０の集団であり、上位装置３０の監視対象となる電力変換装置１０の集団である。同じグループに属する電力変換装置１０は、互いに連携可能であり、例えば、交流電圧の同期を取ったり出力電圧を揃えたりする。グループ内の電力変換装置１０は、マスタとスレーブに分かれていてもよく、マスタは、スレーブに対し、同期の指示や出力電圧の調整指示等を送る。スレーブは、マスタからの指示に基づいて、周波数や出力電圧を調整する。
【００２９】
本実施形態では、グループ内の一部の電力変換装置１０は、上位装置３０と直接的に接続され、他の電力変換装置１０は、上位装置３０と間接的に接続される。上位装置３０と直接的に接続される電力変換装置１０の台数は、１台であってもよいし、複数台であってもよい。ただし、本実施形態では、全ての電力変換装置１０が上位装置３０と直接的に接続するのではなく、間接的に接続される電力変換装置１０が少なくとも１台は存在するものとする。
【００３０】
直接的に接続されるとは、上位装置３０までの通信経路上に、同じグループの他の電力変換装置１０が存在しないことである。例えば、電力変換装置１０と上位装置３０とが１本の通信ケーブルで接続すること、又は、電力変換装置１０と上位装置３０とがハブ等の通信機器を介して接続され、その間に同じグループの他の電力変換装置１０が存在しないことは、直接的に接続されることに相当する。直接的に接続された電力変換装置１０は、間接的に接続された電力変換装置１０の通信を仲介するので、ゲートウェイの役割を果たす。
【００３１】
間接的に接続されるとは、上位装置３０までの通信経路上に、同じグループの他の電力変換装置１０が存在することである。例えば、電力変換装置１０が、同じグループの他の電力変換装置１０を介して上位装置３０と接続されることは、間接的に接続されることに相当する。
【００３２】
電力変換装置１０の接続形態は、任意の形態であってよく、本実施形態では、デイジーチェーン接続を例に挙げるが、後述する変形例のようにスター接続であってもよい。デイジーチェーン接続では、所定の接続順位で電力変換装置１０が直列的に接続される。
【００３３】
接続順位は、任意の方法によって定まればよく、例えば、上位装置３０から数えた場合の順番であってもよい。上位装置３０に近いほど上位となり、上位装置３０から遠いほど下位となってもよい。例えば、上位装置３０と直接的に接続された電力変換装置１０が最上位となり、終端の電力変換装置１０が最下位となってもよい。図１の接続例であれば、電力変換装置１０−１が最上位であり、電力変換装置１０−Ｎが最下位であってもよい。なお、接続順位は、上位装置３０に近いほど上位になることに限らず、上位装置３０との近さに関係なく接続順位が決まってもよい。
【００３４】
例えば、電力変換装置１０の通信部１３は、上位側にある装置と通信する上位通信ポートと、下位側にある装置と通信するための下位通信ポートと、を有する。図１の接続例であれば、電力変換装置１０−１の上位通信ポートは、通信ケーブルによって、上位装置３０と接続される。電力変換装置１０−１は、上位装置３０までの通信経路上に、他の電力変換装置１０−２〜１０−Ｎが存在しないので、上位装置３０と直接的に接続される。このため、電力変換装置１０−１は、他の電力変換装置１０−２〜１０−Ｎの通信を仲介するゲートウェイの役割を果たす。
【００３５】
また例えば、電力変換装置１０−１の下位通信ポートは、通信ケーブルによって、電力変換装置１０−２の上位通信ポートと接続される。電力変換装置１０−２は、上位装置３０までの通信経路上に電力変換装置１０−１が存在するので、上位装置３０と間接的に接続される。以降同様にして、終端の電力変換装置１０−Ｎまで順番に通信ケーブルで接続され、上位装置３０と間接的に接続される。
【００３６】
上位装置３０は、上記のように接続された各電力変換装置１０から動作状況を取得し、当該動作状況を監視する。この点、上位装置３０は、直接的に接続された電力変換装置１０−１のＩＰアドレスについては、ＤＨＣＰ要求等を送信することで取得可能であるが、間接的に接続された電力変換装置１０−２〜１０−Ｎについては、同様の方法ではＩＰアドレスを取得することはできない。
【００３７】
そこで、電力変換システム１は、電力変換装置１０−１に、グループ内の全ての電力変換装置１０のＩＰアドレスのリストを記憶させておき、上位装置３０に当該リストを送信させることで、グループ内の全ての電力変換装置１０のＩＰアドレスを上位装置３０に把握させ、各電力変換装置１０と上位装置３０とを通信できるようにしている。以降、電力変換システム１の詳細を説明する。
【００３８】
［３．電力変換装置システムで実現される機能］
図２は、電力変換システム１で実現される機能を示す機能ブロック図である。図２に示すように、ここでは、電力変換装置１０及びユーザ端末２０の各々で実現される機能を説明する。
【００３９】
［３−１．電力変換装置において実現される機能］
電力変換装置１０では、リスト記憶部１００、リスト生成部１０２、受信部１０３、コピー部１０４、リスト送信部１０５、識別情報送信部１０６、及び割当部１０７が実現され、リスト記憶部１００とは異なる記憶領域にレジスタ１０１が確保されている。
【００４０】
なお、本実施形態では、グループ内の電力変換装置１０が同じ機能を有する場合を説明するが、電力変換装置１０の機能は異なってもよい。例えば、上位装置３０と直接的に接続される電力変換装置１０−１が図２に示す全ての機能を有し、上位装置３０と間接的に接続される電力変換装置１０−２〜１０−Ｎは、図２に示す一部の機能（例えば、リスト記憶部１００、リスト生成部１０２、及び識別情報送信部１０６）だけを有するといったように、電力変換装置１０に応じて機能を異ならせてもよい。
【００４１】
［リスト記憶部］
リスト記憶部１００は、記憶部１２を主として実現される。リスト記憶部１００は、各電力変換装置１０と上位装置３０とを通信させるために必要なデータを記憶する。例えば、リスト記憶部１００は、グループ内の各電力変換装置１０に関する情報が格納されたリファレンスリストＬを記憶する。
【００４２】
図３は、リファレンスリストＬのデータ格納例を示す図である。リファレンスリストＬは、後述するグループ設定画面（図４）からのユーザの操作によって生成され、グループ内の各電力変換装置１０の情報を共有するためのリストである。図３に示すように、例えば、リファレンスリストＬは、識別番号リスト、シリアル番号リスト、及びＩＰアドレスリストを含み、各電力変換装置１０の識別番号、シリアル番号、及びＩＰアドレスの組み合わせが格納されている。
【００４３】
識別番号リストには、各電力変換装置１０の識別番号が格納される。識別番号は、後述する付与部２０１によって付与された電力変換装置１０の名前である。識別番号は、グループ内での他の電力変換装置１０と重複しないようにして設定され、グループ内で電力変換装置１０を一意に識別可能な情報である。なお、識別番号は、数値だけでなく文字を含んでもよい。また、識別番号は、電力変換装置１０に付与された後に、ユーザの操作によって変更可能としてもよい。更に、本実施形態では、電力変換装置１０の出荷時には識別番号が設定されていないものとするが、識別番号は出荷時に設定されてもよい。
【００４４】
シリアル番号リストには、各電力変換装置１０のシリアル番号が格納される。シリアル番号は、電力変換装置１０の個体識別番号であり、例えば、電力変換装置１０の出荷時には既に付与されている。シリアル番号は、メーカが製造する他の電力変換装置１０と重複しないようにして設定され、メーカが製造する全ての電力変換装置１０の中で一意に識別可能な情報である。シリアル番号は、電力変換装置１０に付与された後は、原則として変更されない。
【００４５】
ＩＰアドレスリストには、各電力変換装置１０のＩＰアドレスが格納される。本実施形態では、ＩＰアドレスは、電力変換装置１０の出荷時に既に付与されているものとするが、ＩＰアドレスは、電力変換装置１０がユーザの手元に届いてから設定されてもよい。例えば、ＩＰアドレスは、ユーザ端末２０からユーザが手動で設定してもよいし、ＤＨＣＰ機能を有する装置（例えば、ＤＨＣＰサーバ、他の電力変換装置１０、又はユーザ端末２０）によって動的に割り振られてもよい。
【００４６】
なお、リファレンスリストＬに格納される情報は、上記の例に限られない。リファレンスリストＬには、任意の情報が格納されてよく、例えば、各電力変換装置１０のステータス、ＭＡＣアドレス、又はグループ名といった情報が格納されてもよい。また、図３では、リファレンスリストＬの中身をテーブル形式で示しているが、リファレンスリストＬは、テキスト形式やＣＳＶ形式といった任意のデータ形式を適用可能である。
【００４７】
また、ＩＰアドレスリストは、リファレンスリストＬに格納されていなくてもよく、リスト記憶部１００は、リファレンスリストＬとは別に、ＩＰアドレスリストを記憶してもよい。識別番号リスト及びシリアル番号リストについても同様に、リファレンスリストＬ内に格納されていなくてもよく、リファレンスリストＬとは別に記憶されていてもよい。
【００４８】
［リスト生成部］
リスト生成部１０２は、制御部１１を主として実現される。リスト生成部１０２は、複数の電力変換装置１０の各々のＩＰアドレスを取得し、ＩＰアドレスリストを生成する。各電力変換装置１０は、自身のＩＰアドレスを記憶しており、ＴＣＰ／ＩＰ等の通信プロトコルを利用してＩＰアドレスを通知し合うことによって、グループ内でＩＰアドレスが共有される。リスト生成部１０２は、当該共有された各電力変換装置１０のＩＰアドレスを含むＩＰアドレスリストを生成する。
【００４９】
本実施形態では、ＩＰアドレスとともに、識別番号及びシリアル番号も共有されるものとする。例えば、リスト生成部１０２は、当該共有された各電力変換装置１０の識別番号を含む識別番号リストと、当該共有された各電力変換装置１０のシリアル番号を含むシリアル番号リストと、を生成する。本実施形態では、各リストがリファレンスリストＬに含まれるので、リスト生成部１０２は、識別番号リスト、シリアル番号リスト、及びＩＰアドレスリストを含むリファレンスリストＬを生成することになる。
【００５０】
なお、ＩＰアドレス等は、任意のタイミングで共有されるようにすればよく、例えば、ネットワークへの接続時（通信ケーブルの接続時）にＩＰアドレス等が共有されてもよいし、電源投入時にＩＰアドレス等が共有されてもよい。他にも例えば、ユーザがユーザ端末２０からＩＰアドレス等を共有する旨の操作を行った場合に、ＩＰアドレス等が共有されてもよいし、定期的にＩＰアドレス等が共有されてもよい。
【００５１】
［受信部］
受信部１０３は、制御部１１を主として実現される。本実施形態では、上位装置３０からのＩＰアドレスリストの取得要求に応じてＩＰアドレスリストが送信される場合を説明するが、後述する変形例のように、電力変換装置１０は、自発的にＩＰアドレスリストを上位装置３０に送信してもよい。
【００５２】
ＩＰアドレスリストの取得要求は、ＩＰアドレスを取得することを示す識別子を含む所定フォーマットの情報である。上位装置３０は、任意のタイミングでＩＰアドレスリストの取得要求を送信すればよく、例えば、所定の操作が行われた場合にＩＰアドレスリストの取得要求を送信してもよいし、初回の通信が行われる場合にＩＰアドレスリストの取得要求を送信してもよいし、定期的にＩＰアドレスリストの取得要求を送信してもよい。
【００５３】
所定の操作は、予め定められた操作であればよく、上位装置３０において表示される画面のボタンやアイコン等が選択されることによって行われる。例えば、電力変換装置１０を追加又は変更する画面において、電力変換装置１０を追加又は変更するためのボタンやアイコン等を選択することは、所定の操作に相当する。また例えば、上位装置３０の動作に必要な初回設定をする画面において、所定のボタンやアイコン等を選択することは、所定の操作に相当する。また例えば、ＩＰアドレスリストを新規取得又は更新する画面において、ＩＰアドレスリストを新規取得又は更新するためのボタンやアイコン等を選択することは、所定の操作に相当する。
【００５４】
初回の通信とは、電力変換装置１０と上位装置３０との間の通信確立時である。初回の通信では、通信プロトコルで定められた手順に沿って通信が確立される。初回の通信は、任意のタイミングで実行されるようにすればよく、例えば、電源投入時、通信機能の起動時、通信ケーブルが差し込まれた時、又は、所定の時刻が訪れた時に、初回の通信が行われる。本実施形態では、後述する割当部１０７によって上位装置３０のＩＰアドレスが割り当てられるので、ＩＰアドレスが割り当てられる時が、初回の通信に相当する。
【００５５】
定期的とは、周期的と同じ意味であり、一定の時間間隔ごとにＩＰアドレスの送信要求が送信されることである。定期的にＩＰアドレスリストの取得要求が送信される場合、送信の間隔は、任意の長さであってよく、例えば、数分〜数時間単位であってもよいし、数日〜数か月単位であってもよい。例えば、上位装置３０は、リアルタイムクロック等を利用して計時処理を実行し、ＩＰアドレスリストの取得要求を送信するタイミングが訪れたか否かを判定する。上位装置３０は、当該タイミングが訪れたと判定した場合に、ＩＰアドレスリストの取得要求を送信する。
【００５６】
本実施形態では、リスト記憶部１００に記憶されたＩＰアドレスリストが、後述するコピー部１０４によってレジスタ１０１にコピーされるので、当該レジスタ１０１の参照要求がＩＰアドレスリストの取得要求に相当する。
【００５７】
レジスタ１０１の参照要求は、レジスタ１０１を参照することを示す識別子を含む所定フォーマットの情報であり、参照対象のレジスタ１０１のアドレスが含まれている。上位装置３０は、ＩＰアドレスリストが格納されるレジスタ１０１のアドレスを予め把握しており、当該アドレスに基づいてレジスタ１０１の参照要求を送信する。受信部１０３は、上位装置３０からレジスタ１０１の参照要求を受信する。
【００５８】
［コピー部］
コピー部１０４は、制御部１１を主として実現される。本実施形態では、リスト記憶部１００とは異なる記憶領域にレジスタ１０１が確保されており、コピー部１０４は、リスト記憶部１００のＩＰアドレスリストを、レジスタ１０１にコピーする。
【００５９】
異なる記憶領域とは、メモリそのものが異なること、又は、メモリ内のアドレス帯が異なることである。本実施形態では、リスト記憶部１００は、記憶部１２の不揮発性メモリ内に確保され、レジスタ１０１は、記憶部１２の揮発性メモリ内に確保されており、互いに異なるメモリに確保されているものとする。コピー部１０４は、不揮発性メモリ内のリスト記憶部１００に記録されたＩＰアドレスリストを、揮発性メモリ内のレジスタ１０１にコピーすることになる。
【００６０】
確保とは、メモリ内の使用可能なアドレスを割り当てることである。レジスタ１０１のアドレスは、予め定められたアドレスであればよく、例えば、接続可能な電力変換装置１０の最大数（例えば、５０台〜１００台程度）のＩＰアドレスを格納可能なアドレス帯が割り当てられる。ＩＰアドレスリストをレジスタ１０１にコピーする際に、レジスタ１０１の全ての領域を使用する必要はなく、空き領域が発生してもよい。その際に、コピー部１０４は、例えば若いアドレスから詰めてＩＰアドレスリストをコピーする。
【００６１】
本実施形態では、レジスタ１０１の参照要求がＩＰアドレスリストの取得要求に相当するので、コピー部１０４は、上位装置３０からレジスタ１０１の参照要求が受信された場合に、リスト送信部１０５の上位装置３０へのＩＰアドレスリストの送信に先立って、ＩＰアドレスリストを予め定められたレジスタ１０１にコピーする。
【００６２】
ＩＰアドレスリストの送信に先立つとは、ＩＰアドレスを送信する前のことである。リスト記憶部１００に記憶されたＩＰアドレスリストは、そのまま送信されるのではなく、いったんレジスタ１０１にコピーされ、その後に、レジスタ１０１内のＩＰアドレスリストが送信されることになる。
【００６３】
本実施形態では、レジスタ１０１の参照要求を受信した場合に実行されるシェルが用意されている。シェルには、ＩＰアドレスリストをレジスタ１０１にコピーする手順と、レジスタ１０１にコピーされたＩＰアドレスリストを送信する手順と、が記述されている。コピー部１０４は、これら２つの手順の前者に相当し、後者は、後述するリスト送信部１０５に相当する。レジスタ１０１の参照要求を受信したことに応じてシェルが実行され、コピー部１０４は、リスト記憶部１００のＩＰアドレスリストをレジスタ１０１にコピーする。
【００６４】
なお、ＩＰアドレスリストがコピーされるタイミングは、上記の例に限られない。ＩＰアドレスリストは、任意のタイミングでコピーされるようにすればよく、レジスタ１０１の参照要求が受信される前に、予めコピーされてもよい。例えば、コピー部１０４は、後述する割当部１０７が上位装置３０にＩＰアドレスを割り当てた場合に、ＩＰアドレスリストをコピーしてもよいし、電力変換装置１０の電源投入時に、ＩＰアドレスリストをコピーしてもよい。また例えば、コピー部１０４は、定期的に、ＩＰアドレスリストをコピーしてもよい。
【００６５】
［リスト送信部］
リスト送信部１０５は、制御部１１を主として実現される。リスト送信部１０５は、複数の電力変換装置１０と連携する上位装置３０に、ＩＰアドレスリストを送信する。リスト送信部１０５は、ＩＰアドレスリストを送信するにあたり、上位装置３０のＩＰアドレスを特定する必要があるが、本実施形態では、後述する割当部１０７によって上位装置３０のＩＰアドレスが動的に割り当てられるので、リスト送信部１０５は、割当部１０７によって割り当てられた上位装置３０のＩＰアドレスに基づいて、ＩＰアドレスリストを送信する。
【００６６】
なお、上位装置３０のＩＰアドレスを動的に割り当てるのではなく、静的なＩＰアドレスとする場合には、初回通信時等において、通信プロトコルで定義された手順に従って、互いのＩＰアドレスが交換されるものとする。この場合、リスト送信部１０５は、交換時に取得された上位装置３０のＩＰアドレスに基づいて、ＩＰアドレスリストを送信する。
【００６７】
本実施形態では、複数の電力変換装置１０の何れかは、上位装置３０と直接的に接続されており、少なくとも上位装置３０と直接的に接続された電力変換装置１０−１は、リスト送信部１０５を有し、上位装置３０にＩＰアドレスリストを送信する。図１の接続例であれば、最上位の電力変換装置１０−１は、上位装置３０と直接的に接続されているので、少なくとも電力変換装置１０−１は、リスト送信部１０５を有する。本実施形態では、上位装置３０と間接的に接続された他の電力変換装置１０−２〜１０−Ｎも、リスト送信部１０５を有しており、装置の入れ替え等が発生してどの装置が上位装置３０と直接的に接続されたとしてもＩＰアドレスリストを送信できるようにするが、これら他の電力変換装置１０−２〜１０−Ｎは、特にリスト送信部１０５は有さなくてもよい。
【００６８】
例えば、リスト送信部１０５は、上位装置３０からＩＰアドレスリストの取得要求が受信された場合に、上位装置３０にＩＰアドレスリストを送信する。リスト送信部１０５は、上位装置３０から取得要求を受信したことに応じて（即ち、取得要求に対する応答として）、上位装置３０にＩＰアドレスリストを送信する。
【００６９】
本実施形態では、レジスタ１０１の参照要求が取得要求に相当するので、リスト送信部１０５は、上位装置３０からレジスタ１０１の参照要求が受信された場合に、上位装置３０に、ＩＰアドレスリストを送信することになる。リスト送信部１０５は、上位装置３０からレジスタ１０１の参照要求を受信したことに応じて（即ち、参照要求に対する応答として）、上位装置３０にＩＰアドレスリストを送信する。例えば、レジスタ１０１の参照要求を受信したことに応じてシェルが実行され、リスト送信部１０５は、レジスタ１０１にコピーされたＩＰアドレスリストを送信する。
【００７０】
本実施形態では、リスト送信部１０５は、上位装置３０と初回の通信が行われる場合に、上位装置３０にＩＰアドレスリストを送信する。先述したように、初回の通信時には、通信プロトコルで定められた手順に沿って通信が確立される、この手順の中に、上位装置３０がレジスタ１０１の参照要求をする手順が含まれている。上位装置３０は、通信プロトコルで定められた手順に沿って、初回の通信時にレジスタ１０１の参照要求を送信する。リスト送信部１０５は、初回の通信時においてレジスタ１０１の参照要求が受信された場合に、上位装置３０にＩＰアドレスリストを送信する。
【００７１】
なお、ＩＰアドレスリストが送信されるタイミングは、上記の例に限られない。ＩＰアドレスリストは、任意のタイミングで送信されてよく、例えば、上位装置３０において所定の操作が行われた場合に送信されるレジスタ１０１の参照要求に応じてＩＰアドレスリストが送信されてもよいし、上位装置３０から定期的に送信されるレジスタ１０１の参照要求に応じてＩＰアドレスリストが送信されてもよい。
【００７２】
［識別情報送信部］
識別情報送信部１０６は、制御部１１を主として実現される。識別情報送信部１０６は、ＩＰアドレスリストが送信された後に、上位装置３０に、自身の識別情報を送信する。
【００７３】
識別情報は、電力変換装置１０を識別可能な情報であればよく、例えば、識別番号又はシリアル番号である。本実施形態では、識別番号とシリアル番号の両方が識別情報に含まれる場合を説明するが、識別番号又はシリアル番号の何れか一方だけが識別情報に含まれていてもよいし、他の情報が識別情報に含まれていてもよい。識別番号とシリアル番号は、リファレンスリストＬに格納されているので、識別情報送信部１０６は、リファレンスリストＬの識別番号リストに格納された自身の識別番号と、リファレンスリストＬのシリアル番号リストに格納された自身のシリアル番号と、を含む識別情報を取得する。
【００７４】
本実施形態では、識別情報送信部１０６は、上位装置３０から識別情報の取得要求を受信した場合に、上位装置３０に、自身の識別情報を送信する。識別情報送信部１０６は、上位装置３０から取得要求を受信したことに応じて（即ち、取得要求に対する応答として）、上位装置３０に、自身の識別情報を送信する。
【００７５】
識別情報の取得要求は、識別情報を取得することを示す識別子を含む所定フォーマットの情報である。上位装置３０は、任意のタイミングで識別情報の取得要求を送信すればよく、例えば、所定の操作が行われた場合に識別情報の取得要求を送信してもよいし、初回の通信が行われる場合に識別情報の取得要求を送信してもよいし、定期的に識別情報の取得要求を送信してもよい。例えば、上位装置３０は、ＩＰアドレスリストを取得した後に、各電力変換装置１０に対し、識別情報の取得要求を送信する。
【００７６】
なお、ＩＰアドレスリストと同様に、識別情報は、レジスタにコピーされたうえで送信されてもよい。識別情報がコピーされるレジスタは、ＩＰアドレスリストがコピーされるレジスタ１０１とは異なるアドレスであり、上位装置３０は、アドレスを把握しているものとする。この場合、識別情報の取得要求は、識別情報がコピーされるレジスタの参照要求となり、当該レジスタのアドレスを含むものとする。識別情報送信部１０６は、上位装置３０から、識別情報の取得要求を受信した場合に、識別情報をレジスタにコピーして送信する。この場合も、ＩＰアドレスリストと同様に、シェルが実行されることで、識別情報のコピーと送信が実行されてよい。
【００７７】
また、識別情報が送信されるタイミングは、上記の例に限られない。ＩＰアドレスリストと同様、識別情報は、任意のタイミングで送信されてよく、例えば、識別情報送信部１０６は、定期的に、上位装置３０に識別情報を送信してもよいし、ユーザがユーザ端末２０から所定の操作をした場合に、上位装置３０に識別情報を送信してもよい。また例えば、リスト送信部１０５は、リファレンスリストＬが更新された場合に、上位装置３０にＩＰアドレスリストを送信してもよい。また例えば、リスト送信部１０５は、後述するグループ設定画面（図４）から電力変換装置１０が追加又は交換された場合に（即ち、ユーザがユーザ端末２０から電力変換装置１０を追加又は交換する操作を行った場合に）、上位装置３０に識別情報を送信してもよい。
【００７８】
［割当部］
割当部１０７は、制御部１１を主として実現される。割当部１０７は、上位装置３０にＩＰアドレスを動的に割り当てる。本実施形態では、上位装置３０は、ＤＨＣＰクライアントとなり、電力変換装置１０は、ＤＨＣＰサーバとなる。ＩＰアドレスの割当方法自体は、ＤＨＣＰで用いられている手法を利用すればよい。
【００７９】
割当部１０７は、上位装置３０からＩＰアドレスの割当要求を受信した場合に、ＤＨＣＰ機能を利用して、上位装置３０にＩＰアドレスを割り当てる。割当要求は、ＤＨＣＰ要求である。電力変換装置１０は、割当可能なＩＰアドレスのリストを保持しており、割当部１０７は、当該リストを参照し、空きのあるＩＰアドレスを上位装置３０に割り当てる。複数の電力変換装置１０の各々は、割当部１０７により割り当てられた上位装置３０のＩＰアドレスに基づいて、上位装置３０と通信することになる。
【００８０】
［３−２．ユーザ端末において実現される機能］
ユーザ端末２０では、表示制御部２００と付与部２０１とが実現される。
【００８１】
［表示制御部］
表示制御部２００は、制御部２１を主として実現される。表示制御部２００は、電力変換装置１０の設定をしたり動作状況を管理したりするための種々の画面を表示部２５に表示させる。ここでは、表示制御部２００が表示させる画面の一例として、グループ設定画面と、識別番号付与画面と、について説明する。
【００８２】
図４は、グループ設定画面の一例を示す図である。図４に示すように、グループ設定画面Ｇ１は、グループに属する電力変換装置１０の設定をするための画面である。例えば、ユーザ端末２０と電力変換装置１０とが有線又は無線で接続されると、表示制御部２００は、電力変換装置１０のステータス、シリアル番号、及びＩＰアドレスを取得し、グループ設定画面Ｇ１に表示させる。ステータスは、グループに追加済みの電力変換装置１０であるか、グループに属していない新規の電力変換装置１０であるかといった情報である。
【００８３】
なお、図４の例は、電力変換装置１０の初回設定時の画面を示している。電力変換装置１０の識別番号は、ユーザの手元に届いてから設定されるので、電力変換装置１０の識別番号は、図４のグループ設定画面Ｇ１には表示されない。グループ設定画面Ｇ１は、初回設定後にも表示可能であり、その時点で電力変換装置１０の識別番号が付与されていれば、グループ設定画面Ｇ１に識別番号が表示される。
【００８４】
グループ設定画面Ｇ１には、表示された電力変換装置１０をグループに追加するためのボタンＢ１０，Ｂ１１が表示される。ユーザがボタンＢ１０を選択すると、ボタンＢ１０に対応する１台の電力変換装置１０がグループに追加される。ユーザがボタンＢ１１を選択すると、グループ設定画面Ｇ１に表示された全ての電力変換装置１０がグループに追加される。電力変換装置１０がグループに追加されると、ＩＰアドレス等の情報が共有されて、リファレンスリストが更新される。
【００８５】
なお、グループ設定画面Ｇ１は、図４の例に限られず、例えば、電力変換装置１０をグループから除外するためのボタン等が表示されてもよい。電力変換装置１０が交換される場合には、グループから除外されたうえで、新たなグループに追加される。
【００８６】
図５は、識別番号付与画面の一例を示す図である。図５に示すように、識別番号付与画面Ｇ２は、電力変換装置１０に識別番号を付与するための画面である。なお、識別番号付与画面Ｇ２は、グループ設定画面Ｇ１と同様に、初回設定時に表示されてもよいし、初回設定後に表示されてもよい。
【００８７】
識別番号付与画面Ｇ２には、識別番号を入力するための入力フォームＦ２０が表示される。ユーザが入力フォームＦ２０に入力した番号が、電力変換装置１０の識別番号として付与される。入力フォームＦ２０には、操作部２４から任意の番号を入力可能としてもよいし、予め定められた連番の番号がプルダウン形式で表示されてもよい。プルダウン形式で表示される場合には、予め定められた番号のうち、どの電力変換装置１０にも付与されていない空き番号だけが表示されるようにしてもよい。
【００８８】
なお、図５では、１台の電力変換装置１０に対して識別番号が付与される場合を説明するが、複数台の電力変換装置１０の各々に対して識別番号が付与されてもよい。また、識別番号は、デイジーチェーン接続における接続順位順に付与してもよいし、特に接続順位は考慮せずに付与されてもよい。例えば、最上位の電力変換装置１０−１に対し、３番の識別番号が付与されてもよい。
【００８９】
［付与部］
付与部２０１は、制御部２１を主として実現される。付与部２０１は、複数の電力変換装置１０の各々に対し、識別番号を付与する。例えば、付与部２０１は、ユーザが操作部２４から入力した識別番号を電力変換装置１０に付与する。本実施形態では、識別番号付与画面Ｇ２の入力フォームＦ２０から識別番号が入力されるので、付与部２０１は、入力フォームＦ２０に入力された識別番号を電力変換装置１０に付与する。
【００９０】
なお、識別番号は、ユーザが手動で付与するのではなく、予め定められたアルゴリズムに基づいて自動的に付与されてもよい。例えば、ユーザ端末２０に識別番号のリストが保持されており、付与部２０１は、空きがある識別番号を自動的に電力変換装置に付与してもよい。例えば、付与部２０１は、識別番号が連番となるように、各電力変換装置１０の識別番号を付与してもよいし、特に連番とはならないようにしてもよい。
【００９１】
付与部２０１によって識別番号が付与されると、表示制御部２００は、複数の電力変換装置１０の各々に付与された識別番号を昇順又は降順にソートして、複数の電力変換装置１０の各々の動作状況を表示させる。例えば、表示制御部２００は、画面の上から下に向けて識別番号が昇順又は降順に並ぶように、各電力変換装置１０の動作状況を表示させる。また例えば、表示制御部２００は、画面の左から右（又は右から左）に向けて識別番号が昇順又は降順に並ぶように、各電力変換装置１０の動作状況を表示させる。なお、動作状況は、監視対象となる情報であり、例えば、電力変換装置１０が出力する電圧値や周波数といった情報であってもよいし、電力変換装置１０が検知した異常の有無であってもよい。表示制御部２００は、ＩＰアドレスリストに基づいて、各電力変換装置１０に対して動作状況の取得要求を送信し、各電力変換装置１０から動作状況を取得すればよい。
【００９２】
［４．電力変換システムで実行される処理］
図６及び図７は、電力変換システム１で実行される処理を示すフロー図である。図６及び図７に示す処理は、電力変換装置１０において、制御部１１が記憶部１２に記憶されたプログラムに従って動作し、上位装置３０が自身に記憶されたプログラムに従って動作することによって実行される。図６及び図７に示す処理は、図２に示す機能ブロックにより実行される処理の一例である。なお、図６及び図７に示す処理が実行されるにあたり、グループ設定画面Ｇ１及び識別番号付与画面Ｇ２におけるユーザの操作によって、各電力変換装置１０は、グループに所属済みであり、識別番号が付与されているものとする。
【００９３】
図６に示すように、電力変換装置１０間で、ＩＰアドレス等の情報が共有され、リファレンスリストＬが生成される（Ｓ１）。Ｓ１においては、各電力変換装置１０は、他の電力変換装置１０に対し、記憶部１２に記憶された自身の識別番号、シリアル番号、及びＩＰアドレスを送信し、他の電力変換装置１０から、当該他の電力変換装置１０の識別番号、シリアル番号、及びＩＰアドレスを受信する。各電力変換装置１０は、自身の識別番号、シリアル番号、及びＩＰアドレスと、他の電力変換装置１０の識別番号、シリアル番号、及びＩＰアドレスと、を含むリファレンスリストＬを生成し、記憶部１２に記録する。
【００９４】
上位装置３０は、自身に直接的に接続されている電力変換装置１０−１に対し、ＤＨＣＰ要求を送信する（Ｓ２）。Ｓ２以降の処理は、初回の通信時に実行される処理であり、各処理の手順は、通信プロトコルに定義されている。なお、ＤＨＣＰ要求は、電源投入時、通信機能の起動時、通信ケーブルの差し込み時、又は管理者の操作といった所定のタイミングで送信されるようにすればよい。
【００９５】
電力変換装置１０−１においては、ＤＨＣＰ要求を受信すると、制御部１１は、上位装置３０にＩＰアドレスを割り当てる（Ｓ３）。上位装置３０に割当可能なＩＰアドレスのリストは、予め記憶部１２に記憶されており、Ｓ３においては、制御部１１は、当該リストの中でまだ割り当てられていないＩＰアドレスを割り当て、当該ＩＰアドレスを使用済みに変更する。なお、ＩＰアドレスが割り当てられた後は、通信プロトコルに定められた手順に沿って、電力変換装置１０−１と上位装置３０との間でハンドシェイクが行われるようにしてもよい。また、ＩＰアドレスの割り当ての際に、電力変換装置１０−１のＩＰアドレスが上位装置３０に通知されているものとする。
【００９６】
上位装置３０は、ＩＰアドレスが割り当てられると、電力変換装置１０−１に対し、ＩＰアドレスリストが格納されるレジスタ１０１の参照要求を送信する（Ｓ４）。Ｓ４においては、上位装置３０は、参照対象となるレジスタ１０１のアドレスを参照要求に含めて送信する。
【００９７】
電力変換装置１０−１においては、レジスタ１０１の参照要求を受信すると、制御部１１は、シェルを実行し、リファレンスリストＬに格納されたＩＰアドレスリストをレジスタ１０１にコピーする（Ｓ５）。Ｓ５においては、制御部１１は、記憶部１２の不揮発性メモリに格納されたＩＰアドレスリストを、記憶部１２の揮発性メモリに確保されたレジスタ１０１にコピーする。
【００９８】
制御部１１は、上位装置３０に、レジスタ１０１にコピーしたＩＰアドレスリストを送信する（Ｓ６）。上位装置３０は、Ｓ６において送信されたＩＰアドレスリストを受信すると自身の記憶部に記録する。これにより、上位装置３０は、グループ内の全ての電力変換装置１０のＩＰアドレスを把握して通信可能な状態となる。ただし、上位装置３０は、各電力変換装置１０の識別情報を取得していないので、以降の処理によって、各電力変換装置１０から識別情報を取得して、ＩＰアドレスとの紐付けを行う。これにより、レジスタ１０１の中にＩＰアドレスが不規則に並んでいたとしても、各電力変換装置１０のＩＰアドレスと識別情報の紐付けをすることができる。
【００９９】
上位装置３０は、電力変換装置１０−１に、識別情報の取得要求を送信する（Ｓ７）。なお、電力変換装置１０−１のレジスタ１０１に識別情報がコピーされたうえで送信される場合には、Ｓ８においては、上位装置３０は、参照対象となるレジスタのアドレスを参照要求に含めて送信してもよい。
【０１００】
電力変換装置１０−１においては、識別情報の取得要求を受信すると、制御部１１は、自身の識別情報を送信する（Ｓ８）。電力変換装置１０−１のレジスタに識別情報がコピーされたうえで送信される場合には、制御部１１は、シェルを実行し、記憶部１２の不揮発性メモリに格納された自身の識別番号とシリアル番号を含む識別情報を、記憶部１２の揮発性メモリに確保されたレジスタにコピーして送信する。上位装置３０は、Ｓ８において送信された電力変換装置１０−１の識別情報を受信すると、電力変換装置１０−１のＩＰアドレスと関連付けて自身の記憶部に記録する。
【０１０１】
図７に移り、上位装置３０は、電力変換装置１０−２に、識別情報の取得要求を送信する（Ｓ９）。Ｓ９においては、上位装置３０は、ＩＰアドレスリストに基づいて、電力変換装置１０−２のＩＰアドレスを特定し、識別情報の取得要求を送信する。上位装置３０と直接的に接続された電力変換装置１０−１は、識別情報の取得要求を受信すると、電力変換装置１０−２に転送する。
【０１０２】
電力変換装置１０−２においては、識別情報の取得要求を受信すると、制御部１１は、自身の識別情報を送信する（Ｓ１０）。Ｓ１０の処理は、Ｓ８と同様である。電力変換装置１０−１は、電力変換装置１０−２の識別情報を受信すると、上位装置３０に転送する。上位装置３０は、当該転送された電力変換装置１０−２の識別情報を受信すると、電力変換装置１０−２のＩＰアドレスと関連付けて自身の記憶部に記録する。
【０１０３】
以降同様にして、上位装置３０は、識別情報の取得要求を送信し、終端の電力変換装置１０−Ｎまでの識別情報の受信する（Ｓ１１，Ｓ１２）。以上の処理により、上位装置３０は、グループ内の全ての電力変換装置１０の識別情報を取得し、ＩＰアドレスとの紐付けを行うことができる。
【０１０４】
各電力変換装置１０の識別情報が上位装置３０に送信されると、上位装置３０は、電力変換装置１０−１に、動作状況の取得要求を送信する（Ｓ１３）。動作状況の取得要求は、動作状況を要求することを示す識別子を含む所定フォーマットの情報である。電力変換装置１０内のレジスタに動作状況が格納される場合には、動作状況の取得要求には、当該レジスタのアドレスが格納される。
【０１０５】
電力変換装置１０−１においては、動作状況の取得要求を受信すると、制御部１１は、電力変換部１４の動作状況を取得して送信する（Ｓ１４）。電力変換部１４の動作状況がレジスタに格納されている場合には、制御部１１は、当該レジスタに格納された動作状況を送信する。上位装置３０は、Ｓ１４において送信された電力変換装置１０−１の動作状況を受信すると、自身の記憶部に記録する。
【０１０６】
上位装置３０は、電力変換装置１０−２に、動作状況の取得要求を送信する（Ｓ１５）。Ｓ１５においては、上位装置３０は、ＩＰアドレスリストに基づいて、電力変換装置１０−２のＩＰアドレスを特定し、動作状況の取得要求を送信する。上位装置３０と直接的に接続された電力変換装置１０−１は、動作状況の取得要求を受信すると、電力変換装置１０−２に転送する。
【０１０７】
電力変換装置１０−２においては、動作状況の取得要求を受信すると、制御部１１は、電力変換部１４の動作状況を取得して送信する（Ｓ１６）。Ｓ１６の処理は、Ｓ１４と同様である。電力変換装置１０−２と直接的に接続された電力変換装置１０−１は、電力変換装置１０−２の動作状況を受信すると、上位装置３０に転送する。上位装置３０は、当該転送された電力変換装置１０−２の動作状況を受信すると、自身の記憶部に記録する。
【０１０８】
以降同様にして、上位装置３０は、動作状況の取得要求を送信し、終端の電力変換装置１０−Ｎまでの動作状況を受信する（Ｓ１７，Ｓ１８）。以上の処理により、上位装置３０は、グループ内の全ての電力変換装置１０の動作状況を取得し、当該動作状況を監視することができる。
【０１０９】
以上説明した電力変換システム１によれば、互いに同じグループに属し、かつ、互いに通信可能に接続された複数の電力変換装置１０の各々のＩＰアドレスを取得してＩＰアドレスリストを生成し、複数の電力変換装置１０と連携する上位装置３０にＩＰアドレスリストを送信し、複数の電力変換装置１０の各々のＩＰアドレスを上位装置３０に把握させることで、複数の電力変換装置１０と上位装置３０とを通信可能にすることができる。
【０１１０】
また、少なくとも上位装置３０と直接的に接続された電力変換装置１０が上位装置３０にＩＰアドレスリストを送信することで、上位装置３０がＩＰアドレスを全く把握していない状態であったとしても、グループ内の各電力変換装置１０のＩＰアドレスを上位装置３０に把握させることができる。
【０１１１】
また、上位装置３０における所定の操作に応じて送信される取得要求を受信した場合に電力変換装置１０がＩＰアドレスリストを送信することで、管理者が所望するタイミングでＩＰアドレスリストを取得させることができる。例えば、グループに新たな電力変換装置１０が追加されたり、グループに属する電力変換装置１０が交換されたりした場合に所定の操作をさせるようにしたとすると、最新のＩＰアドレスリストを上位装置３０に取得させるので、新たな電力変換装置１０又は交換された電力変換装置１０と上位装置３０とを通信可能にすることができる。
【０１１２】
また、上位装置３０と初回の通信が行われる場合にＩＰアドレスリストを送信することで、通信の確立時にＩＰアドレスリストを取得させ、その後の通信を確実に実行することができる。例えば、上位装置３０との通信が切断されていた間に、グループに新たな電力変換装置１０が追加されたり、グループに属する電力変換装置１０が交換されたりしても、その後の初回の通信時に最新のＩＰアドレスリストを上位装置３０に取得させるので、新たな電力変換装置１０又は交換された電力変換装置１０と上位装置３０とを通信可能にすることができる。
【０１１３】
また、上位装置３０にＩＰアドレスリストが定期的に送信されることで、上位装置３０に最新のＩＰアドレスリストを定期的に取得させることができる。例えば、グループに新たな電力変換装置１０が追加されたり、グループに属する電力変換装置１０が交換されたりしても、定期的に最新のＩＰアドレスリストを上位装置３０に取得させるので、新たな電力変換装置１０又は交換された電力変換装置１０と上位装置３０とを通信可能にすることができる。
【０１１４】
また、ＩＰアドレスリストが予め定められたレジスタ１０１に格納されており、当該レジスタ１０１の参照要求を受信した場合に、上位装置３０に、ＩＰアドレスリストを送信することで、ある特定のレジスタ１０１の参照要求があったときに、その応答としてＩＰアドレスリストが送信されるので、ＩＰアドレスリストを送信する構成を簡易化することができる。
【０１１５】
また、リスト記憶部１００とＩＰアドレスリストを格納する記憶領域とを分けることで、ＩＰアドレスの共有操作とＩＰアドレスの上位装置３０への送信操作を独立に行え、ＩＰアドレス送信アルゴリズムを簡易化できる。
【０１１６】
また、送信の間際にＩＰアドレスリストをレジスタ１０１にコピーすることで、レジスタ１０１が揮発性メモリ領域にあっても、システムの電源入り切りでＩＰアドレスリストが喪失されてしまうことを防止できる。
【０１１７】
また、複数の電力変換装置１０の各々が、ＩＰアドレスリストが送信された後に、上位装置３０に自身の識別情報（例えば、識別番号やシリアル番号等）を送信することで、複数の電力変換装置１０の各々の識別情報を上位装置３０に把握させ、上位装置３０側での電力変換装置１０の監視に活用させることができる。
【０１１８】
また、複数の電力変換装置１０の各々に対し、識別番号を付与して昇順又は降順にソートして、複数の電力変換装置１０の各々の動作状況を表示させることで、各情報を見やすく表示させることができる。
【０１１９】
上位装置３０にＩＰアドレスを動的に割り当てることで、複数の電力変換装置１０と、上位装置３０と、を容易に通信可能とすることができる。また、上位装置３０がどの電力変換装置１０のＩＰアドレスも知らない状態であったとしても、上位装置３０は、ＤＨＣＰ機能により、直接的に接続された電力変換装置１０（図１の接続例であれば、電力変換装置１０−１）のＩＰアドレスを知ることができ、当該電力変換装置１０から、他の電力変換装置１０のＩＰアドレスを知ることができる。
【０１２０】
［５．変形例］
なお、本発明は、以上に説明した実施の形態に限定されるものではない。本発明の趣旨を逸脱しない範囲で、適宜変更可能である。
【０１２１】
例えば、実施形態で説明したように、電力変換装置１０の接続形態は、デイジーチェーン接続に限られず、任意の接続形態を適用可能である。
【０１２２】
図８は、電力変換装置１０の接続形態の一例を示す図である。図８に示すように、電力変換システム１は、スイッチングハブＳＷ−１〜ＳＷ−Ｍ（Ｍは自然数）を含み、各電力変換装置１０は、スター型で接続されてもよい。なお、図８の例では、ユーザ端末２０は省略している。図８の例では、電力変換装置１０−１は、上位装置３０と直接的に接続されており、電力変換装置１０−１の下位通信ポートには、通信ケーブルによって、スイッチングハブＳＷ−１と接続されている。
【０１２３】
スイッチングハブＳＷ−１通信ポートには、電力変換装置１０−２，１０−３が接続されている。電力変換装置１０−２，１０−３は、互いに並列の関係にあり、電力変換装置１０−１を介して上位装置３０と間接的に接続される。また、スイッチングハブＳＷ−１は、他のスイッチングハブと接続されており、その先には、下位の電力変換装置１０が接続される。例えば、最下位の電力変換装置１０−Ｎは、スイッチングハブＳＷ−Ｍに接続されており、電力変換装置１０−１を介して上位装置３０と間接的に接続される。
【０１２４】
図８のような接続形態の場合も、実施形態と同様に、各電力変換装置１０は、リファレンスリストＬを記憶し、上位装置３０にＩＰアドレスリストが送信される。例えば、電力変換装置１０−１は、上位装置３０からレジスタ１０１の参照要求を受信した場合に、自身のレジスタ１０１にＩＰアドレスリストをコピーして送信する。この一連の処理の詳細は、実施形態で説明した通りである。以上のように、スター接続であったとしても、上位装置３０は、電力変換装置１０−１を介して、その配下にある他の電力変換装置１０−２〜１０−ＮのＩＰアドレスを含むＩＰアドレスリストを取得することができる。
【０１２５】
また例えば、電力変換装置１０は、上位装置３０からの要求に応じてＩＰアドレスリストを送信するのではなく、自発的にＩＰアドレスリストを送信してもよい。この場合、電力変換装置１０は、定期的にＩＰアドレスリストを送信してもよいし、ユーザ端末２０からユーザの所定の操作があった場合に、ＩＰアドレスリストを送信してもよい。また例えば、電力変換装置１０は、初回の通信時に、ＤＨＣＰ応答の一環として、自発的にＩＰアドレスリストを送信してもよい。また例えば、電力変換装置１０は、ＩＰアドレスリストが更新された場合に、上位装置３０にＩＰアドレスリストを送信してもよい。また例えば、リスト送信部１０５は、グループ設定画面Ｇ１から電力変換装置１０が追加又は交換された場合に、上位装置３０にＩＰアドレスリストを送信してもよい。
【０１２６】
また例えば、ＩＰアドレスリストの取得要求は、レジスタ１０１の参照要求でなくてもよい。例えば、電力変換装置１０がＩＰアドレスリストをレジスタ１０１にコピーせずに送信してもよく、この場合には、ＩＰアドレスリストの取得要求は、レジスタ１０１の参照要求ではなく、ＩＰアドレスリストを要求する旨を示す識別子が含まれていればよい。また例えば、レジスタ１０１がリスト記憶部１００の外部にあるものとしたが、レジスタ１０１は、リスト記憶部１００の内部にあってもよい。また例えば、レジスタ１０１は、電力変換装置１０の外部メモリに確保されていてもよいし、他のコンピュータのメモリに確保されていてもよい。
【０１２７】
また例えば、上位装置３０側で、各電力変換装置１０の名前が独自に付与されてもよい。この場合、上位装置３０の管理者は、各電力変換装置１０の名前を操作部から入力する。当該入力された各電力変換装置１０の名前は、当該電力変換装置１０のシリアル番号やＩＰアドレスと関連付けられて記録されるようにしてよい。上位装置３０は、各電力変換装置１０から取得した識別番号（電力変換システム１側のユーザが付与した名前）と、自身の管理者が付与した名前と、を関連付けて記録することで、２つの名前の紐付けが行われるようにしてもよい。
【０１２８】
以上のようにした場合、上位装置３０側の管理者が、ユーザからの問い合わせを受けた場合に対応をしやすくなる。例えば、ユーザが自身で名づけた名前である識別番号をもとに問い合わせをしたとしても、管理者は、どの電力変換装置１０の問い合わせなのかをすぐに特定することができる。また、上位装置３０側で、各電力変換装置１０の動作状況を表示させる際に、上位装置３０側で付与した名前に変換したうえで、各電力変換装置１０の動作状況を表示させてもよい。その際に、上位装置３０側で付与した名前に基づいてソートして表示させてもよいし、電力変換システム１側で付与した名前でソートして、見掛け上は上位装置３０側で付与した名前で表示させてもよい。
【０１２９】
また例えば、リスト記憶部１００、レジスタ１０１、リスト生成部１０２、受信部１０３、コピー部１０４、リスト送信部１０５、識別情報送信部１０６、及び割当部１０７の各々は、電力変換装置１０以外のコンピュータで実現されてもよい。例えば、電力変換システム１にゲートウェイサーバを設けておき、各電力変換装置１０がゲートウェイサーバ経由で上位装置３０と通信してもよい。この場合、上記各機能は、ゲートウェイサーバによって実現されてもよい。他にも例えば、上記各機能が、ユーザ端末２０等の他のコンピュータで実現されてもよい。
【０１３０】
また、以上説明した実施形態は具体例として示したものであり、本明細書にて開示される発明をこれら具体例の構成やデータ格納例そのものに限定するものではない。当業者はこれら開示された実施形態に種々の変形、例えば、物理的構成の形状や数、データ構造、処理の実行順を変更したりしてもよい。本明細書にて開示される発明の技術的範囲は、そのようになされた変形をも含むものと理解すべきである。
【図１】
2020059037.tif 000003
【図２】
2020059037.tif 000004
【図３】
2020059037.tif 000005
【図４】
2020059037.tif 000006
【図５】
2020059037.tif 000007
【図６】
2020059037.tif 000008
【図７】
2020059037.tif 000009
【図８】
2020059037.tif 000010
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
互いに同じグループに属し、かつ、互いに通信可能に接続された複数の電力変換装置と、
前記複数の電力変換装置の各々のＩＰアドレスを取得し、ＩＰアドレスリストを生成するリスト生成部と、
前記複数の電力変換装置と連携する上位装置に、前記ＩＰアドレスリストを送信するリスト送信部と、
前記複数の電力変換装置の各々に付与された識別番号と、前記複数の電力変換装置の各々の動作状況と、を表示させる表示制御部と、
前記識別番号の識別番号リストと、前記ＩＰアドレスリストと、を含むリファレンスリストを記憶するリスト記憶部と、
を有し、
前記表示制御部は、前記複数の電力変換装置の各々がグループに属しているか否かを示すステータスを表示させ、ユーザの指示により前記ステータスが変更された場合に、変更された前記ステータスを表示させ、
変更された前記ステータスに基づいて、前記リファレンスリストを更新する更新部を更に有する電力変換システム。
【請求項２】
前記複数の電力変換装置の何れかは、前記上位装置と直接的に接続され、
少なくとも前記上位装置と直接的に接続された電力変換装置は、前記リスト送信部を有し、前記上位装置に前記ＩＰアドレスリストを送信する、
請求項１に記載の電力変換システム。
【請求項３】
前記上位装置は、所定の操作が行われた場合に前記ＩＰアドレスリストの取得要求を送信し、
前記電力変換システムは、前記上位装置から前記取得要求を受信する受信部を更に有し、
前記リスト送信部は、前記上位装置から前記取得要求が受信された場合に、前記上位装置に前記ＩＰアドレスリストを送信する、
請求項１又は２に記載の電力変換システム。
【請求項４】
前記上位装置は、初回の通信が行われる場合に前記ＩＰアドレスリストの取得要求を送信し、
前記電力変換システムは、前記上位装置から前記取得要求を受信する受信部を更に有し、
前記リスト送信部は、前記上位装置から前記取得要求が受信された場合に、前記上位装置に前記ＩＰアドレスリストを送信する、
請求項１〜３の何れかに記載の電力変換システム。
【請求項５】
前記上位装置は、定期的に前記ＩＰアドレスリストの取得要求を送信し、
前記電力変換システムは、前記上位装置から前記取得要求を受信する受信部を更に有し、
前記リスト送信部は、前記上位装置から前記取得要求が受信された場合に、前記上位装置に前記ＩＰアドレスリストを送信する、
請求項１〜４の何れかに記載の電力変換システム。
【請求項６】
前記ＩＰアドレスリストは、予め定められたレジスタに格納され、
前記電力変換システムは、前記上位装置から前記レジスタの参照要求を受信する受信部を更に有し、
前記リスト送信部は、前記上位装置から前記参照要求が受信された場合に、前記上位装置に、前記ＩＰアドレスリストを送信する、
請求項１〜５の何れかに記載の電力変換システム。
【請求項７】
前記レジスタは、前記リスト記憶部とは異なる記憶領域に確保され、
前記電力変換システムは、前記リスト記憶部の前記ＩＰアドレスリストを、前記レジスタにコピーするコピー部を更に有する、
請求項６に記載の電力変換システム。
【請求項８】
前記コピー部は、前記上位装置から前記参照要求が受信された場合に、前記リスト送信部の前記上位装置への前記ＩＰアドレスリストの送信に先立って、前記ＩＰアドレスリストを前記予め定められたレジスタにコピーする、
請求項７に記載の電力変換システム。
【請求項９】
前記複数の電力変換装置の各々は、前記ＩＰアドレスリストが送信された後に、前記上位装置に、自身の識別情報を送信する識別情報送信部を有する、
請求項１〜８の何れかに記載の電力変換システム。
【請求項１０】
前記表示制御部は、前記複数の電力変換装置の各々に付与された識別番号を昇順又は降順にソートして、前記複数の電力変換装置の各々の動作状況を表示させる、
請求項１〜８の何れかに記載の電力変換システム。
【請求項１１】
前記上位装置にＩＰアドレスを動的に割り当てる割当部を更に有し、
前記複数の電力変換装置の各々は、前記割当部により割り当てられた前記上位装置のＩＰアドレスに基づいて、前記上位装置と通信する、
請求項１〜１０の何れかに記載の電力変換システム。
【請求項１２】
互いに同じグループに属し、かつ、互いに通信可能に接続された複数の電力変換装置各々のＩＰアドレスを取得し、ＩＰアドレスリストを生成し、
前記ＩＰアドレスリストを記憶部に記録し、
前記複数の電力変換装置と連携する上位装置に、前記ＩＰアドレスリストを送信し、
前記複数の電力変換装置の各々に付与された識別番号と、前記複数の電力変換装置の各々の動作状況と、を表示させ、
前記識別番号の識別番号リストと、前記ＩＰアドレスリストと、を含むリファレンスリストをリスト記憶部に記録し、
前記複数の電力変換装置の各々がグループに属しているか否かを示すステータスを表示させ、
ユーザの指示により前記ステータスが変更された場合に、変更された前記ステータスを表示させ、
変更された前記ステータスに基づいて、前記リファレンスリストを更新する、
電力変換装置のＩＰアドレス送信方法。
【請求項１３】
互いに同じグループに属し、かつ、互いに通信可能に接続された複数の電力変換装置の各々のＩＰアドレスを取得し、ＩＰアドレスリストを生成するリスト生成部と、前記複数の電力変換装置と連携する上位装置に、前記ＩＰアドレスリストを送信するリスト送信部と、を有する電力変換システムに含まれるコンピュータを、
前記複数の電力変換装置の各々に付与された識別番号と、前記複数の電力変換装置の各々の動作状況と、を表示させる表示制御部、
として機能させるためのプログラムであって、
前記表示制御部は、前記複数の電力変換装置の各々がグループに属しているか否かを示すステータスを表示させ、ユーザの指示により前記ステータスが変更された場合に、変更された前記ステータスを表示させ、
変更された前記ステータスに基づいて、前記識別番号の識別番号リストと、前記ＩＰアドレスリストと、を含むリファレンスリストが更新される、
プログラム。
【国際調査報告】
2020059037.tif 000011
2020059037.tif 000012
2020059037.tif 000013
2020059037.tif 000014